(57)【特許請求の範囲】
【請求項１】
トマトなどの植物の栽培方法において、
培地を基礎面から所定の高さに設置し、
前記培地を２つの群に分けて管理し、
前記培地に植えられている植物体を２つの群に分けて管理し、
２つの群に分けた植物体群を、それぞれ培地の下側と上側になるように誘引し、
共存させ、
前記植物体に灌水する灌水ドリッパーを灌水本管ホースから分岐し、植物体に灌水して生育し、
前記植物体は、誘引ヒモに吊られており、その先の誘引フックには誘引ヒモが巻き蓄えられていて、前記誘引フックは誘引ワイヤーに引っかけられており、
前記誘引ヒモによって、２つの前記植物体群の一方を上側に生育させ、前記一方の前記植物体群とは別の、もう一方の前記植物体群は下側に生育させ、
前記もう一方の前記植物体群の先端と根本の中間を、前記培地の高さよりも下側におろし、
且つ前記もう一方の前記植物体群の前記先端を前記上側に向け、
前記もう一方の前記植物体群の果実の収穫をし、
その後、前記誘引ヒモによって、前記一方の前記植物体群の先端と根本の中間を、前記培地の高さよりも下側におろし、
且つ、前記一方の植物体群の前記先端を前記上側に向ける、
ことを特徴とする栽培方法。
【請求項２】
２つの群からなる培地群のうちの１つの群の培地と、
前記２つの群からなる培地群のうちの前記１つの群の培地とは異なる群の培地と、の計２個で１セットとし、そのセット単位で灌水ドリッパーを配置する請求項１記載の栽培方法。
【発明の詳細な説明】
【技術分野】
【０００１】  本発明は、トマトなどの植物の栽培において、植物体を２つの群に分けて管理し、２つの群に分けた植物体群を、共存させ生育させることを特徴とする栽培方法とその設備の設置方法についてである。
【技術背景】
【０００２】  トマトなどの植物の場合、新たな植物体を定植する場合は、既に植えてあった植物体を伐採した後に行うことが一般的だが、この方法では収穫を増やすことが難しいため、近年では、既に植えてある植物体の株元に定植し育苗を行うことや、既に植えてある植物体の一部伐採した個所に新たに定植し、収量を増やす試みがなされている。
【０００３】  また、特許文献１や２のように、所定の高さに複数の栽培ベッドを用意し、それぞれの木の成長に合わせ栽培ベッドを移動することにより、日当たりを考慮しつつそれぞれの植物体を共存させる技術や、特許文献３のように専用の栽培装置を用い、培地を上下２段に配置し、それを上下に交換移動することにより、それぞれの植物体を共存させる技術も紹介されている。
【特許文献１】特許公開平６−２１７６４４
【特許文献２】特許公開平７−２５０５６９
【特許文献３】特開２００５−３２８７６５
【０００４】  別の方法では、密植栽培という通常より高い密度で栽培することにより収穫量を上げる栽培方法もある。
【発明の開示】
【発明が解決しようとする課題】
【０００５】  以上に述べた手段の問題点として、既に植えてある植物体の株元に定植した場合は、株元の植物体に十分な日射が当たらないことから、生育不良になるという問題がある。【０００６】  また、既に植えてある植物体を一部伐採し、そこに定植する方法の場合は日射の問題は解決できるが、伐採した分の収穫量が減ることは避けられない。【０００７】  特許文献１や２の栽培方法の場合、栽培ベッドの移動を行うことになるが、全体の生育規模が小さくかつ植物体が小さい場合は比較的容易に行えるものの、植物体が大きく成長した場合は多大な労力を要するため、容易には行えないという問題があった。【０００８】  特許文献３のような専用装置を用いた場合も、上下２段の植物体群を上下に交換移動する機構が必要となり、手間とコストがかかるという問題があった。【０００９】  密植栽培法では、植物体が小さい生育初期は良いものの、植物体が大きくなると日射の阻害が発生し、生育不良になるため、生育期間が短くなってしまうという問題があった。
【課題を解決するための手段】
【００１０】  このような課題に対し、本発明は、培地の高さを基礎面から高く設置し、一方の植物体群の先端が培地の高さ付近になるまで下側におろし、もう一方の植物体群は培地の高さより上側に生育させることを特徴とする。また、トマトなどの植物の栽培方法において、培地を基礎面から所定の高さに設置し、培地を２つの群に分けて管理し、培地に植えられている植物体を２つの群に分けて管理し、２つの群に分けた植物体群を、それぞれ培地の下側と上側になるように誘引し、共存させ、植物体に灌水する灌水ドリッパーを灌水本管ホースから分岐し、植物体に灌水して生育し、植物体は、誘引ヒモに吊られており、その先の誘引フックには誘引ヒモが巻き蓄えられていて、前記誘引フックは誘引ワイヤーに引っかけられており、誘引ヒモによって、２つの植物体群の一方を上側に生育させ、一方の植物体群とは別の、もう一方の植物体群は下側に生育させ、もう一方の植物体群の先端と根本の中間を、培地の高さよりも下側におろし、且つもう一方の植物体群の先端を上側に向け、もう一方の植物体群の果実の収穫をし、その後、誘引ヒモによって、一方の植物体群の先端と根本の中間を、培地の高さよりも下側におろし、且つ、一方の植物体群の前記先端を前記上側に向ける。また、別の本発明のトマトなどの植物の栽培方法は、２つの群からなる培地群のうちの１つの群の培地と、２つの群からなる培地群のうちの１つの群の培地とは異なる群の培地と、の計２個で１セットとし、そのセット単位で灌水ドリッパーを配置する。【００１１】  培地の上下で生育状態の異なる植物体群が存在するが、それに対応するために培地も２つの群に分けて設置・管理し、それぞれの植物体群はそれぞれの培地群に植えることを特徴とする。【００１２】  ２群に分けた培地は、それぞれ１列に交互や２列で並列など、隣接して配置し、一方の培地群の培地１つと、それに隣接するもう一方の培地群の培地１つの計２個で１セットとし、そのセット単位で灌水部を配置・分配することを特徴とする。【００１３】  灌水には灌水ドリッパーなどを使用し、灌水ドリッパーはそれぞれの植物体群の生育状態により、セットとなった２つの培地を行き来させるため、灌水ドリッパーが灌水本管ホースから分岐する分岐部はセットとなる培地間付近にあり、また行き来させるのを容易にするため、灌水ドリッパーに目印などがあっても良い。
【発明の効果】
【００１４】  この手段の効果により、培地の移動が不要で上下両方の植物体群が互いに日射を遮ることなく共存できるため、特別な機構を必要とすることなく上下の振り分け栽培が可能になる。【００１５】  この手段の効果により、成木を下側におろし、新たに定植した苗木を上側に誘引し、同時に生育させ連続的に収穫を得ることや、２つの培地群に同時に密植で定植し、日射の阻害がない生育初期は共に上側に生育させ、成長とともに一方の植物体群はそのまま上側に生育させ、もう一方の植物体群は下側に生育させることにより、密植で植えながらも日射の阻害がなく生育させることが可能になる。また、この二つの手法を組み合わせて連続的に収穫を得ながら、さらに密植に栽培することも可能である。【００１６】  生育状態の異なる植物体群が存在するが、それぞれの植物体群は対応する培地群に植えられているため栽培管理が容易に行え、また一方の培地群の培地交換の際も、もう一方の培地群の生育に影響がないことから、培地交換にも支障がない。【００１７】  ２群の培地が存在し、２群の植物体を栽培管理することになるが、本発明では灌水ドリッパーをセットとなった培地間を簡単に移動させることができ、それにより２群の植物体の栽培管理が実現できるため、複数の灌水システムや新たな灌水システムを必要としない。
【発明を実施するための最良の形態】
【００１８】  図１（ａ）に、１列２条植えで、２つの培地群をＡ培地群１ａ、Ｂ培地群１ｂとし、それぞれ１列に交互にベンチ３に配置されている様子を示す。Ａ培地群１ａには、既にＡ植物体群２ａが植えられている。このときＢ培地群１ｂには何も植えられていない。培地の高さ１１はベンチ３の高さにより決まるが、ベンチ３の高さは基礎面４から高い位置にあり、その高さは下側におろす各植物体群が正常に生育するだけの高さがあれば良い。また、植物体は煩雑さを避けるためクキのみを図示し、果実や葉などは省略し以下同様とする。【００１９】  各植物体は誘引ヒモ５により吊られており、その先の誘引フック６には誘引ヒモ５が十分巻き蓄えられていて、誘引フック６は誘引ワイヤー７に引っかけられているが、この点は従来の栽培システムをそのまま利用することができる。ベンチ３は支柱や上からの吊り金具により保持されているが、通常設備であるため図示はしておらず、灌水ドリッパー９は図が煩雑になるため図示せず、図１（ｂ）に図示する。【００２０】  図１（ｂ）に、図１（ａ）のときの灌水ドリッパー９の様子を植物体等を省略し図示する。【００２１】  図２（ａ）に、Ａ植物体群２ａの先端が培地の高さ１１付近になるまでおろし、何も植えてなかったＢ培地群１ｂに、新たにＢ植物体群２ｂを植えた様子を記す。この状態において、Ａ植物体群２ａは、先端がさらに伸びるとＢ植物体群２ｂとの間で日射の阻害が発生するため、下側におろす前後付近のタイミングで芯止めを行い、これ以上の成長を止める。成っている果実やこれから結実・肥大する果実の収穫を終えれば伐採を行う。上記同様に、このときの灌水ドリッパーの様子は図２（ａ）では省略し、図２（ｂ）で示す。【００２２】  また、誘引ワイヤー７の設置高さに関しては、Ａ植物体群２ａの伐採が終わるまでは、Ｂ植物体群２ｂをつる下ろしをしない方が作業上簡易であるため、それまではつる下ろしをせずに上側に誘引し続けられるような高さとすることが望ましい。【００２３】  図３（ａ）に、Ａ植物体群２ａを伐採した後の様子を記す。伐採後に培地の交換を行う必要がある場合でも、Ａ培地群１ａを撤去・交換する際に、Ｂ植物体群２ｂの生育には影響がない。上記同様に、このときの灌水ドリッパーの様子は図３（ａ）では省略し、図３（ｂ）で示す。【００２４】  次の定植の際には、Ｂ植物体群２ｂの先端が培地の高さ１１付近になるまでおろし、Ａ培地群１ａに新たな植物体を定植すればよく、それがさらに進み、Ｂ植物体群２ｂを伐採したら、その状態がまさに図１となるため、以降繰り返すことが可能である。【００２５】  図１（ｂ）、図２（ｂ）、図３（ｂ）に示したとおり、灌水ドリッパー９の灌水本管ホースからの分岐部１０は、セットとなるＡ培地群１ａとＢ培地群１ｂの間付近にすることにより、灌水ドリッパー９を各培地を行き来させる際にも作業を容易に行うことができる。灌水ドリッパー９は分岐部１０から分岐し、各培地群の植物体の灌水必要量に応じてＡ培地群１ａとＢ培地群１ｂとの配置本数を調整できる方が望ましいため、灌水ドリッパー９は、ある程度の本数分岐している方が良く、本図面では５本分岐として示しが、必ずしも５本分岐でなくても良いことはもちろ��である。【００２６】  図１（ｂ）のように、一方の培地群にのみ植物体がある場合は、灌水ドリッパー９は全てその培地群に配置されている。その後、図２（ｂ）のように、もう一方の培地群へ灌水が必要になった場合は、灌水ドリッパー９の一部をその培地群へ移動させる。灌水必要量にもよるが図２（ｂ）では５本中２本を移動させた。その後、各培地群の灌水必要量によりさらに灌水ドリッパー９を移動させ、最終的に伐採に際しては、図３（ｂ）のように伐採する植物体群の培地群への灌水は不要となるため、灌水ドリッパー９の全てをもう一方の培地群へ移動させる。【００２７】  よって、本実施例により、特別な装置や部材を設置することなくより多くの収穫量を得ることができる植物栽培方法を提供できた。
【図面の簡単な説明】
【００２８】
【図１】  Ａ植物体群のみがある状態の図である。（ａ）全体図（ｂ）灌水ドリッパーの図
【図２】  Ａ植物体群とＢ植物体群が共存している状態の図である。（ａ）全体図（ｂ）灌水ドリッパーの図
【図３】  Ｂ植物体群のみがある状態の図である。（ａ）全体図（ｂ）灌水ドリッパーの図
【符号の説明】
【００２９】１ａ    Ａ培地群
１ｂ    Ｂ培地群
２ａ    Ａ植物体群
２ｂ    Ｂ植物体群
３      ベンチ
４      基礎面
５      誘引ヒモ
６      誘引フック
７      誘引ワイヤー
８      灌水本管ホース
９      灌水ドリッパー
１０    分岐部
１１    培地の高さ
【図１】
0006628085.tif 000002
【図２】
0006628085.tif 000003
【図３】
0006628085.tif 000004